(57)【要約】  フェアリング組立体が、乗物の外表面に平行でないダクト出口ポートの周りに、ダクト出口ポートから出る流体流を表面流体流の方向に変えるように、設けられている。  フェアリング組立体は、表面流を角度付きダクト流とともに方向付ける上流羽根フェアリングと、横方向のダクト流を表面流の方向に変える下流コアンダフェアリングと、コアンダフェアリングの対向する側方に配置され、互いに向けて角度が付けられ、ダクト出口ポートの下流の結合流体流を整理し、それによって再循環を最小にするように互いに対して角度を付けられた一対の渦発生器と、を有する。  ダクト出口ポート周りのこのフェアリング組立体は、ダクトと表面流の整理された混合を改善し、それによってダクトと表面の再循環、ダクト制限、および乗物全体の抵抗を減少させる。
2021509377.tif 000002
【特許請求の範囲】
【請求項１】
乗物の角度付きダクトのダクト出口ポートの抵抗を減少させるダクト出口フェアリング組立体であって、
前記ダクト出口ポートの前縁の前方に設けられた前縁を含む上方に傾斜した傾斜部を有する羽根フェアリングであって、前記傾斜部が前記ダクト出口ポートの一部の上を後方にかつ上方に延び、前記傾斜が前記乗物の長手方向軸の方向に整列している、羽根フェアリングと、
前記ダクト出口ポートの後縁を取り囲む前縁を有する延長体を有するコアンダフェアリングであって、前記延長体が所定の高さと幅を有し、前記ダクト出口ポートの寸法に基づく所定の長さ後方に延びている、コアンダフェアリングと、
前記ダクト出口ポートの後方に位置する一対の渦発生器であって、各渦発生器が前記コアンダフェアリングの対向する横側方に位置し、互いに向かって角度付けされている、一対の渦発生器と、
を含む、ダクト出口フェアリング組立体。
【請求項２】
前記羽根フェアリングの前記傾斜部が、航空機の外表面に沿って流れる表面空気流を前記ダクト出口ポートから離れる上方に傾斜した角度で指向させる湾曲した上面を有している、請求項１に記載のダクト出口フェアリング組立体。
【請求項３】
前記羽根フェアリングの前記傾斜部が、前記ダクト出口ポートを出るダクト流体流を前記コアンダフェアリングに向かう方向に指向または転向させる湾曲した下面を有している、請求項１に記載のダクト出口フェアリング組立体。
【請求項４】
前記羽根フェアリングの前記傾斜部が、前記ダクト出口ポートの寸法に基づく所定の長さを有している、請求項１に記載のダクト出口フェアリング組立体。
【請求項５】
前記傾斜部が、その前縁と後縁の間で計測して、前記ダクト出口ポートの０．５〜０．９直径の長さを有している、請求項４に記載のダクト出口フェアリング組立体。
【請求項６】
前記羽根フェアリングの前記傾斜部が、航空機の表面から計測して、ダクト角度の半分および前記傾斜部の長さに基づく所定の高さを有している、請求項５に記載のダクト出口フェアリング組立体。
【請求項７】
前記傾斜がさらに、下方に前記角度付きダクト内に延びる舌部を有している、請求項１に記載のダクト出口フェアリング組立体。
【請求項８】
前記舌部が、前記角度付きダクト内の構造的障害部を覆うのに十分な距離に延在し構成されている、請求項７に記載のダクト出口フェアリング組立体。
【請求項９】
前記コアンダフェアリングが実質的に三角の形状を有している、請求項１に記載のダクト出口フェアリング組立体。
【請求項１０】
前記コアンダフェアリングが、ダクト角度の４５度あたり前記ダクト出口ポートの０．１５から０．２５直径の範囲の高さを有している、請求項１に記載のダクト出口フェアリング組立体。
【請求項１１】
前記コアンダフェアリングが、ダクト角度の４５度あたり前記ダクト出口ポートの０．２直径の高さを有している、請求項１に記載のダクト出口フェアリング組立体。
【請求項１２】
前記コアンダフェアリングが、ダクト角度の４５度あたり前記ダクト出口ポートの１．５から３．０直径の範囲の長さを有している、請求項１に記載のダクト出口フェアリング組立体。
【請求項１３】
前記コアンダフェアリングが、ダクト角度の４５度あたり前記ダクト出口ポートの３．０直径の長さを有している、請求項１に記載のダクト出口フェアリング組立体。
【請求項１４】
前記一対の渦発生器のそれぞれが、前記乗物の外表面から実質的に垂直に延びている、請求項１に記載のダクト出口フェアリング組立体。
【請求項１５】
前記一対の渦発生器は、２ダクト直径以内で前記ダクトの後方に配置されている、請求項１に記載のダクト出口フェアリング組立体。
【請求項１６】
前記一対の渦発生器のそれぞれが、前記ダクト出口ポートの中心線に対して１５度から３０度の間の角度を有し、それによって前記コアンダフェアリングの背後で収束する逆回転渦を発生させる、請求項１に記載のダクト出口フェアリング組立体。
【請求項１７】
前記一対の渦発生器のそれぞれが、前記乗物の外表面に取り付けられた基部と、外向きにかつ前記基部から実質的に垂直に延びる背側部材とを含む、請求項１に記載のダクト出口フェアリング組立体。
【請求項１８】
前記一対の渦発生器の前記背側部材が湾曲した前縁を有している、請求項１７に記載のダクト出口フェアリング組立体。
【発明の詳細な説明】
【技術分野】
【０００１】
［関連出願との相互参照］
本特許出願は、２０１７年１２月２８日に出願された米国仮出願６２／６１１，１４３に基づく優先権を主張し、その内容は参照によりその全体が本明細書に組み込まれる。
【０００２】
本発明は、航空機のフェアリングに関し、より具体的には、航空機または他の車両のダクト出口ポートの周りに配置されるフェアリング組立体に関する。
【背景技術】
【０００３】
航空機および他のタイプの乗物の流体ダクト出口ポートは、多くの場合、それらが形成される表面に平行またはほぼ平行に方向づけすることを妨げる設計上の妥協を受ける。米国特許第６，７６７，２６１号の分散型推進ジェットによって例示的に示されるように、ほぼ平行な配向が最適である。より具体的には、流体ダクト出口ポートが、それらが延びる表面に対して平行な方向付けに近い場合、ダクト流で流体表面流を付勢することによって、または低速度ダクト流が最小の抵抗で高速度表面流と混合することを可能にすることによって、抵抗を最小にしながら推力を最大にする。
【０００４】
推進に直接使用されない流体ダクトは、冷却、排気、廃液、および他の周知の流体の出口を含むことができる。流体ダクト出口が表面流体流に対して１０度以内に方向付けられる場合、ダクト流の追加抵抗は最小であり、主に表面流速度に対するダクト出口流の比とは無関係である。この比は、ダクトの「相対速度」として知られている。しかし、乗物の構造上またはその他の考慮により、ダクト出口は、表面流に対してより大きい角度に方向付けられるように強いられることが多い。
【０００５】
ダクト出口角度が概して１０度を超える場合、表面流体速度に対する高い相対ダクト流体速度は、ダクト流が航空機の表面を離れ、ダクト出口の前、周囲、および後ろの流れを乱すことを生じる。これは、表面とダクト流が再循環することを生じ、それはしばしば流体の動的抵抗とノイズを生じる。
【０００６】
ダクトに平行でない表面に沿って角度付きダクト出口流の方向を変えるために、様々な従来技術の装置が様々な結果とともに使用されてきた。ダクト相対速度は、さまざまな動作条件で大きく異なり得る。従って、このような装置は、低いダクト相対速度での表面流抵抗への影響が最小でありながら、高いダクト相対速度及び高いダクト出口角度が生じる場合に効果的であることが望ましい。
【０００７】
同様に、推進効果を備えた角度付きダクトは、最適ダクト角度よりも機械的単純性のために抵抗を相殺することもあり得、この場合、推力は減少し、一方で抵抗及び騒音が増加する。従って、ダクトの制限を減少させ、推力を増加させ、抵抗及び騒音を減少させる、推進ダクト流を表面流と平行に変える簡単な方法を提供することが望ましい。
【０００８】
コアンダ効果を利用して空気流を変える方法は、長年にわたって広く用いられてきた。コアンダ効果は、米国特許第４，４４７，０２８号に例示的に開示されているように、翼のフラップ上などの湾曲した表面に流体流が追従することを可能にする。コアンダ効果を実装するフェアリングが、高度に角度が付いた出口ダクトのすぐ下流に配置され得る。コアンダフェアリングは、高いダクト相対速度におけるわずかに角度が付けられたダクト、およびダクト相対速度が低い場合はより大きい角度で、成功裏に使用され得る。コアンダフェアリングのみで出口ダクトからの高い相対速度を有する大きい角度の付いた流れを転向させることは、ダクト直径の三倍未満のダクト長さ、および、ダクト直径の半分（０．５）未満のプロファイル高さでは不可能である。効果的にするために、コアンダフェアリングの前縁はダクト出口に平行で、ダクト流をサーフェスに対して１５度未満の角度でサーフェスに添えるように転向させる。
【０００９】
再循環領域を減少または除去するために整理化された流れを循環させるために渦発生器を使用することも、流体の流れを制御するために当該技術分野において周知である。ダクトから高度に角度付けされた流体の流れは、流れを整理するために一般に非常に大きな渦発生器を必要とする、大きな再循環領域を生成する。このような大きな渦発生器は著しい抵抗とノイズを誘起し得、それによって再循環を整理することの利点を打ち消す。
【００１０】
ここで図１〜図３の従来技術の図面を参照すると、航空機の表面における角度付き出口ダクトポートの周囲および内部に、空気の乱流が例示的に示されている。航空機１０は、航空機１０と角度付きダクト２０が交差する外表面１２に形成されたダクト出口ポート２２を有し、外表面１２の出口ポート２２で終端する、高角度付き（たとえば１０度より大きい）ダクト２０を有している。従来技術の図１〜図３では、航空機の前端及び後端は、それぞれ図面の左側及び右側にある。したがって、航空機は左に向かって飛行し、航空機の表面を流れる空気は、図３の矢印「Ａ」で例示的されるように、左から右の方向にあり、そこではダクト２０および出口２２は、例示的に航空機の底部に示されている。ダクト２０は、表面空気流と合流するときに、ダクト出口からの流体の乱流を最小にするのに役立つように、前方から後方に角度付けされている。ダクト２０およびその出口ポート２２の角度付け（例：４０度）は、航空機の近傍または隣接して配置された構造によって決定されることが多い設計上の選択事項である。
【００１１】
例えば、出口ポート２２で終端するダクト導管２０は、多くの場合、ダクト流に著しい流体流乱流３２を引き起こし得る突出部、屈曲部、障害部、および他の構造的制限３０を内部に有し得る。これらの構造的制限３０のいくつかは、ダクト２０内に流体再循環３２を形成する可能性があり、これは、しばしば、背圧およびダクト流の制限をもたらす。また、対応する乗物表面１２に対するダクト出口２２の角度が大きいほど、ダクト２０内のより多くの再循環３２が、表面流によって引き起こされ、それによって、より大きなダクト流制限がもたらされることも観察された。
【００１２】
望ましくない再循環の影響に対処するために、ダクト出口２２に一連の角度付き羽根を設置して、流体流を整理し、それを表面軸に向かって転向させることが知られている。しかし、角度付き羽根は、ダクトが最小の流体流か、または流体流がない場合に、表面抵抗と同様に、ダクト流の制限を引き起こし得る。ダクト出口２２がもともと羽根なしで設計されていた場合、羽根を追加する追加の制限は、設計されたダクト効率に依存する任意の流体流システムの性能を損なう可能性がある。したがって、多くの一般的な出口ダクト２２の表面境界層からの、および表面境界層における流体流をより良く制御する必要がある。
【００１３】
米国特許第３，５２５，４８６号は、流れを表面軸に転向させるのを補助するために、渦発生器をダクト内に配置することを開示している。これは、多くの適用のためにダクト流に対する許容できない制限を生じる。
【先行技術文献】
【特許文献】
【００１４】
【特許文献１】米国特許第６，７６７，２６１号
【特許文献２】米国特許第４，４４７，０２８号
【特許文献３】米国特許第３，５２５，４８６号
【００１５】
前述及び従来技術における他の欠点を考慮すると、既存のダクト出口ポートの周り及びその周囲の表面エリアの周りにフェアリング及び羽根の組立体などの流体流ダクト出口装置を提供することが望ましく、これらの装置を個別に使用することによっては不可能な効果を生み出す。
【発明の概要】
【課題を解決するための手段】
【００１６】
従来技術における上記の欠点及び欠陥は、航空機または他の乗物における角度付きダクトのダクト出口ポートの抵抗を低減するための角度付きダクト出口フェアリング組立体であって：ダクト出口ポートの前縁の前方に取り付けられた、前縁を有する上方に傾斜した傾斜部を有する羽根フェアリングであって、該傾斜部がダクト出口ポートの一部にわたって後方及び上方に延び、傾斜が乗物の長手軸の方向に整合している羽根フェアリング；ダクト出口ポートの後縁の周りを囲む前縁を有する延長体を有するコアンダフェアリングであって、該延長体が所定の高さと幅を有し、ダクト出口ポートの寸法に基づく所定の長さ後方に延びている、コアンダフェアリング；および、ダクト出口ポートの後方に位置する一対の渦発生器であって、各渦発生器がコアンダフェアリングの対向する横側方に位置し、お互いに向かって角度付けされている、一対の渦発生器、を含む角度付きダクト出口フェアリング組立体の様々な実施形態によって回避および／または解決される。
【００１７】
一実施形態では、羽根フェアリングの傾斜部は、航空機の外面に沿って表面空気流を、ダクト出口ポートから離れるように上方に傾斜した角度に向ける湾曲した上面を有している。別の態様では、羽根フェアリングの傾斜部は、ダクト出口ポートから出るダクト流体流を、コアンダフェアリングに向く方向に指向させまたは転向させる、湾曲した下面を有している。さらに別の態様では、羽根フェアリングの傾斜部は、ダクト出口ポートの寸法に基づいて所定の長さを有している。さらに別の態様では、傾斜部は、前縁と後縁との間で測定して、ダクト出口ポートの０．５から０．９直径の長さを有している。さらに別の態様では、羽根フェアリングの傾斜部は、ダクト角度の半分および傾斜部の長さに基づいて航空機の表面から測定される所定の高さを有している。
【００１８】
別の実施形態では、傾斜は、下方に角度付きダクト内に延びる舌部をさらに含む。一態様では、舌部は、角度付きダクト内の構造的障害部を覆うように十分な距離に延在し構成される。
【００１９】
さらに別の実施形態では、コアンダフェアリングは、実質的に三角形の形状である。一態様では、コアンダのフェアリングは、ダクト角度の４５度あたりダクト出口ポートの０．１５から０．２５直径の範囲の高さを有している。別の態様では、コアンダフェアリングは、ダクト角度の４５度あたりダクト出口ポートの０．２直径の高さを有している。さらに別の態様では、コアンダフェアリングは、ダクト角度の４５度あたりダクト出口ポートの１．５から３．０直径の範囲の長さを有している。別の態様では、コアンダフェアリングは、ダクト角度の４５度あたりダクト出口ポートの３．０直径の長さを有している。
【００２０】
さらに別の実施形態では、一対の渦発生器の各々は、乗物の外表面から実質的に垂直に延びている。一態様では、一対の渦発生器は、２ダクト直径内のダクトの後方に配置されている。別の態様では、一対の渦発生器の各々は、ダクト出口ポートの中心線に対して１５度と３０度との間の角度を有し、それによって、コアンダのフェアリングの背後で収束する逆回転渦を発生させる。さらに別の態様では、一対の渦発生器の各々は、乗物の外表面に取り付けられた基部と、外向きにかつ基部から実質的に垂直に延びる背側部材とを含む。別の実施形態では、一対の渦の背側部材は、湾曲した前縁を有している。
【図面の簡単な説明】
【００２１】
【図１】ダクト出口ポートで終端する角度付きダクトを有する先行技術の航空機の外部の前方斜視図であり、ダクト出口ポートに近接する乱流ダクト流及び表面空気流を示す。
【図２】図１の従来技術の角度付きダクト及びダクト出口ポートの断面図であり、航空機のダクト出口ポートの内部及び周囲の乱流空気流を示す。
【図３】図１の従来技術の角度付きダクト及びダクト出口ポートの断面図であり、航空機のダクト出口ポートの内部及び周囲の乱流空気流のコンピュータシミュレーションを示す。
【図４】航空機の角度付きダクト出口ポートの周りに配置及び取り付けられた前方羽根フェアリング、コアンダフェアリング及び一対の渦発生器フェアリングを有する本発明のダクト出口ポートフェアリング組立体の前方斜視図である。
【図５】図４の線５−５に沿って切断した、ダクト出口ポート及びダクト出口ポートフェアリング組立体の断面図であり、ダクト出口ポートの内部及び周りの気流乱流の減少を示す。
【図６】図６Ａ〜６Ｉは、図４のダクト出口ポートフェアリング組立体の前方羽根フェアリングの様々な図を示す。
【図７】図７Ａ〜７Ｆは、図４のダクト出口ポートフェアリング組立体のコアンダフェアリングの様々な図を示す。
【図８】図８Ａ〜８Ｅは、図４のダクト出口ポートフェアリング組立体の渦発生器フェアリングのうちの１つの様々な図を示す。
【図９】角度付きダクトの周りに取り付けられた図４の出口ポートフェアリング組立体の前方斜視図であり、ダクト出口ポートに近接する航空機の表面上の空気の流れを示す。
【図１０】角度付きダクト出口ポートの周りに取り付けられた図４の出口ポートフェアリング組立体を有する航空機の断面図であり、ダクト出口ポートの内部及び周囲に示される非乱流空気流パターンのコンピュータシミュレーションを示す。
【図１１Ａ】図１１Ａ（従来技術）は、ダクト出口フェアリング組立体の周りに取り付けられる出口ポートフェアリング組立体を有さない場合および有する場合の航空機の断面図であり、ダクト出口フェアリング組立体を有する場合および有さない場合のダクト出口の内部及び周囲の高温低速ダクト流と低温高速表面流の混合のコンピュータシミュレーションを比較表示する。
【図１１Ｂ】図１１Ｂは、ダクト出口フェアリング組立体の周りに取り付けられる出口ポートフェアリング組立体を有さない場合および有する場合の航空機の断面図であり、ダクト出口フェアリング組立体を有する場合および有さない場合のダクト出口の内部及び周囲の高温低速ダクト流と低温高速表面流の混合のコンピュータシミュレーションを比較表示する。
【００２２】
本発明の理解をさらに容易にするために、適切な場合は、図面に共通な同じ又は同様の要素を示すために、同じ参照番号を使用する。さらに、別段の指示がない限り、図に示された特徴は、一定の縮尺通りに描かれておらず、例示の目的のためだけに示されている。
【発明を実施するための形態】
【００２３】
本発明は、航空機の外表面に平行でなく、航空機または他の乗物の角度付きダクト出口ポートの周りに配置され、ダクト出口ポートから出る流体流を制御するための、フェアリング組立体に関する。より具体的には、本発明のフェアリング組立体は、ダクト出口ポートから出る流体流を、最小限の再循環及び抵抗（drag）で航空機の外表面の表面流の方向に転向させる。フェアリング組立体は、ダクト流と表面流を方向付ける上流羽根と、横方向のダクト流を表面流の方向に変えるのを補助する下流コアンダフェアリングと、それぞれがコアンダフェアリングの対向する側面に配置され、互いに向かって角度付けられた一対の渦発生器とを含み、最小限の再循環、ダクト制限、及び乗物全体の抵抗で、ダクト出口ポートの下流の合成された流れを整理する。本発明のフェアリング組立体は、フェアリング構成要素のいずれかが個別に達成することができるものよりも、より整理されたダクトと表面の流れの混合を生成する。
【００２４】
図４および図５を参照すると、本発明は、航空機１０のダクト出口ポート２２の周りに配置し、従来技術のダクト出口ポートで通常観察される乱流および抵抗を最小限に抑えるのを助けるダクト出口ポートフェアリング組立体１００に関する。図面は、航空機又は乗物の外表面に対して４０度に角度付けられた、直径９インチの円形排気ダクトを有する実施形態を例示している。前方羽根フェアリングは、ダクト内の設計欠陥又は構造的障害を円滑に平滑化するための任意の構造的特徴を例示的に含む。具体的には、羽根フェアリングは、ダクト出口の一部と、同様にダクト内に延在し、構造的なレリーフ突起の下流側を「埋める」ための部材を有する。この構造的なレリーフの問題に具体的に対処する例示的な前方羽根フェアリングが示され、図４、図５及び他のサポート画像に関して以下に説明される。
【００２５】
より具体的には、フェアリング組立体１００は、ダクト出口ポート２２の前縁２４に配置された羽根フェアリング１１０と、ダクト出口ポート２２の後部又は後部ダクト縁部に配置されたコアンダフェアリング１３０と、および、コアンダフェアリング１３０に対して横方向に配置された少なくとも１つの渦発生器羽根１５０とを含む。前方羽根フェアリング１１０、コアンダ効果フェアリング１３０、及び、渦発生器１５０の配置は、全体として、航空機のそこの外表面１２上の流体流の方向と角度により一致させるように、航空機１０の外表面１２のダクト出口ポート２２を出る流体流の方向を転向させる。
【００２６】
本発明は、航空機の外表面１２に形成された出口又はポート２２を介して大気または外部環境に空気または他の流体流を導く導管として機能する航空機ダクト２０に関して記載されているが、フェアリング組立体１００は、ダクト出口から出る流体流の方向を変えることが望ましい他の種類の乗物に実装することができるため、このような種類の輸送乗物に限定するものとは見なされない。例えば、フェアリング組立体１００は、他の乗物のうち、船、船舶、又は、外面に対してダクト出口からの流体流の方向を変更することが望ましいダクト出口ポート及び外表面の境界面に実装することができる。
【００２７】
さらに、フェアリング組立体１００は、直径９インチで、表面１２に対して４０度の角度で方向付けられた横方向円形ダクト２２を使用して示され、説明されている。このダクト２０は、しばしば客室加圧システムの熱交換器出口として使用される大型航空機に典型的なものである。当業者であれば、本発明のフェアリング組立体１００は、外表面上に任意のサイズのダクト出口も許容するように構成することができるので、乗物表面に対するダクトの使用、サイズ及び角度は、限定されるものではないことを理解するであろう。
【００２８】
ここで図４，図５及び図６Ａ〜図６Ｉを参照すると、前方羽根フェアリング１１０は、ダクト出口ポート２２の前縁２４に近接して配置されている。前方羽根フェアリング１１０は、上方傾斜部１１２及び任意の下方舌部１２０を含んでおり、後者については以下でさらに詳細に説明する。傾斜部１１２は、ダクト出口ポート２２の前縁の前方で航空機の表面１２に隣接する前縁１１３を備えた湾曲した上面１１４と、航空機の外面に沿って表面空気流を、ダクト出口ポート２２から離れて上方に傾斜した角度で向けるために隆起した（上方に傾斜した）後縁１１５とを有する。傾斜部１１２はまた、出口ポート２２の後縁２６のコアンダフェアリング１３０に向かう方向にダクト流体流を向けるか又は向きを変えさせるための湾曲した下面１１６を有する。上面１１４は、形状が凸状であることが好ましく、傾斜部１１２の下面１１６は、形状が凹状であることが好ましく、表面空気流及びダクト空気流をそれぞれ指向及び転向させる。
【００２９】
羽根フェアリング１１０の傾斜部１１２は、ダクト出口ポートの寸法に基づいて所定の長さを有している。特に、傾斜部の前縁と後縁との間で直線的に測定されるとき、傾斜部の長さは、ダクト出口ポート直径の０．５から０．９の範囲の間、好ましくはダクト出口ポート直径の０．７である。さらに、航空機の表面１２から測定されるとき、傾斜部１１２の後縁１１５の近傍または後縁における最大高さは、傾斜部１１２の長さおよびダクト角度の半分によって決定される。たとえば、４０度の角度と０．７直径の長さを有する９インチのダクト２０は、２．１インチの高さを有するであろう（（９インチ）×（０．７直径）×Ｓｉｎ（（０．５）×（４０度）））。
【００３０】
図５の断面図を参照すると、上面１１４および下面１１６は、出口ダクトの前縁２４を流れる空気表面流が、矢印「Ｂ」で示されるように、傾斜部１１２の湾曲した上面１１４に沿って流れるように、出口ダクト２２を部分的に覆って延在する。さらに、ダクト出口２２の前縁２４におけるダクト流（矢印「Ｃ」）も、傾斜部１１２の下面１１６によってコアンダフェアリング１３０に向かって向きを変えられる。傾斜部１１２の上面１１４及び下面１１６をそれぞれ通過する表面流及びダクト流は、混合してコアンダフェアリング１３０上を集合的に流れ、次に、向きを変え、すなわち、結果として生じる混合流体流を航空機１０の外表面１２に向かって戻し、かつ、それに沿って向きを変え、それによって、ダクト出口ポート２２の近くでの乱流及び抵抗を低減する。
【００３１】
ダクト２０の前縁２４に配置された前方羽根フェアリング１１０は、好ましくは、ダクト２０と表面１２の角度を、二等分角度の１０（１０）度以内で二等分し、ダクト出口ポート２２の前縁２４から機尾にダクト出口２２の直径の半分（０．５）未満の長さで延びている。例えば、４０度の角度付きダクト２０の９インチダクト出口ポートは、表面１２に対して１０度と３０度の間の角度（例えば、好ましくは約２０度）で配置され、ダクト２２上を４．５インチ未満延びている。一実施形態では、前方羽根フェアリング１１０の傾斜部１１２は、そのような範囲は限定されないと考えられるが、ダクト出口の前縁部の幅の４０から９０パーセント（４０％〜９０％）の間を覆う。たとえば、前縁の幅に対するカバレッジは、プラスまたはマイナス１０パーセント（１０％）にすることができる。
【００３２】
傾斜部１１２の下面１１６は、ダクト表面から上向きに後縁１１５に向かって平行に延びる滑らかな湾曲である。一実施形態では、下面１１６はスプラインであるが、そのような形状は限定とは考慮されない。上面１１４は、前方前部分においてダクト角度の１／２の曲率と、後方後部分においてダクト角度の１／４の曲率を有する。
【００３３】
図２を参照すると、出口ポート２２から出る矢印「Ｃ」で示されるダクト流体流は、矢印「Ｂ」によって示される航空機１０の表面１２上の空気流と衝突又はそうでなければ混合する。ダクトＣからの流れは、表面空気流を、出口ポート２２が形成されている航空機１０の外表面１２から離れるように発散させ、及び／又は再循環させ（矢印「Ｄ」）、それによって、ダクト流と表面流からの結合又は混合された空気流を生じ、該空気流は発散、再循環及び減速し、よって出口ダクト２２の機尾の抵抗を増加させる。図５を参照して比較すると、傾斜部１１２は、ダクト流Ｃを転向させて、流れがダクト２２を出て表面流Ｂと混合する角度を減少させ、それによってダクト２２の後方の抵抗を減少させる。
【００３４】
図２に関して上述したように、出口ポート２２で終端するダクト導管２０は、多くの場合、その中に突出部、屈曲部、障害部、および他の構造的制限３０を有する可能性があり、これは、ダクト流に著しい流体流の乱流３２を引き起こし得る。これらの構造的制限３０のいくつかは、ダクト２０内に流体再循環３２を形成する可能性があり、これは、しばしば、背圧およびダクト流の制限をもたらす。
【００３５】
別の実施形態では、前方羽根フェアリング１１０は、図６Ａ〜図６Ｉに例示的に示されるように、傾斜部１１２の下面から延びる舌部１２０を有している。図６Ａ及び図６Ｉを参照すると、前方羽根フェアリング１１０の上方後方右側斜視図及び底面前方右側面斜視図がそれぞれ示されている。図６Ｅは、前方羽根フェアリング１１０の右側１１８の右側面図である。図６Ｃは、その上方前方右側斜視図、図６Ｇは底面後方右側斜視図である。図６Ｂ及び図６Ｈは、それぞれ、前方羽根フェアリング１１０の平面図及び底面図である。図６Ｄ及び図６Ｆは、それぞれ、図６Ｅの右側立面図の、左側面図及び右側面図である。
【００３６】
再び図２を参照すると、障害部３０は、ダクト２０内に延在して示されており、これは、再循環及びダクト流の制限、すなわち、ダクト２０内での抵抗を引き起こしている。障害部３０によって引き起こされる再循環／抵抗の問題に対処し解決するために、前方羽根フェアリング１１０の舌部１２０が、ダクト２０内に挿入され、障害部３０を覆うのに適した距離だけ延びており、それによって、障害部３０によって引き起こされる望ましくない流れの再循環の影響を最小化又は無効にする。
【００３７】
ここで図６Ａ〜図６Ｉを参照すると、舌部１２０は、例示的にダクト２０の内面に従う湾曲した下面１２２を含む。ダクト２０は、主に円形又は湾曲した内面を有するものとして説明されているが、そのような形状は限定的なものとは考えられず、舌部１２０は、好ましくは、ダクト２０の内面に従うように構成される。舌部１２０の湾曲した下面１２２は、傾斜部１１２の下面１１６に向かって延在し、それと一体となって、前方羽根フェアリング１１０の下面１１１を形成する。舌部１２０の上面１２４は、図５に例示的に示されるように、障害部３０の周囲に一致する刻み目又は切欠き１２５を含む。
【００３８】
前方羽根フェアリング１１０は、前縁１１３（図６Ａ）がダクト出口ポート２２の前方に配置され、隆起した後縁１１５がダクト出口ポート２２の上方に延びるように、ダクト出口ポート２２上に配置される。傾斜部１１２の下面１１９（図６Ｅ）は、それが取り付けられる外表面１２に従うように形作られている。同様に、舌部１２０の上面１２４も、ダクト２０の内面形状および障害部３０に従う。
【００３９】
本明細書で説明及び図示される前方羽根フェアリング１１０は、ダクト出口ポートが配置される表面１２に対して２０度より大きく９０度より小さいダクト角度に適している。好ましくは、最大ダクト相対速度は、乗物の作動の少なくとも２０％の間、２０度のダクト角度で表面流の２倍と、９０度のダクト角度で表面流の半分の間であるが、このようなダクト速度および角度値は、限定的であるとは考えられない。
【００４０】
ここで図４、図５および図７Ａ〜図７Ｆを参照すると、コアンダフェアリング１３０が例示的に示されている。コアンダフェアリング１３０は、形状がやや三角形又は三角州の形状を有しており、ダクト出口ポート２２の後縁２６に配置されて後方に延びている。より具体的には、コアンダフェアリング１３０は、前縁１３２がダクト出口ポート２２の後縁２６に配置された状態で、ダクト出口ポート２２の下流側の胴体表面１２に取り付けられている。コアンダフェアリング１３０の長さは、ダクト出口ポート２２の直径の３倍未満であることが好ましいが、このような長さに制限されるとは考えられない。
【００４１】
ここで図７Ａ〜図７Ｆを参照すると、コアンダフェアリング１３０は、前縁１３２、後縁１３４、底面１３５、および上面１３６を含む。底面１３５は、航空機１０の外表面１２上に取り付けられ場合に、中実であってもよく、または空洞として形成されてもよい。コアンダフェアリング１３０の前縁１３２は、ダクト出口ポート２２の下流の半分に一致し、好ましくは、ダクト出口角度の初期遷移面角度が＋／−５度以内である。前縁１３２は、ダクト出口ポート２２の後縁２６の形状を取り囲むような円形の形状として例示的に示されている。しかしながら、そのような円形の形状は、前縁１３２が、ダクト出口ポート２２の他の任意の形状に一致するように形成することができるため、限定的であるとは考えられない。
【００４２】
コアンダフェアリング１３０の長さは、最前縁１３２から後縁１３４の先端まで長手方向に測定するときに、航空機１０の表面１２に対するダクト２０の角度に依存している。特に、コアンダフェアリング１３０は、好ましくは、ダクト角度の４５（４５）度あたりダクト出口ポートの約３直径の長さを有する。コアンダフェアリングの長さ「ＬＣ」は、数学的には、ＬＣ＝（ＤＰ＊Ｍ）／４５度として表すことができ、ここで、「ＤＰ」はダクト出口ポートの直径（例えば、インチ）であり、「Ｍ」は乗数値の３であるが、そのような乗数値は限定的とは考えられない。例えば、乗数値Ｍは、ダクト出口ポートの１．５直径から３．０直径の範囲内にあってもよく、空気流の再循環を最小にするように作動可能であってもよい。従って、コアンダフェアリング１３０の長さは、４５度より大きいダクト角度の場合は長く、４５度より小さいダクト角度の場合は短くなる。
【００４３】
コアンダフェアリング１３０の長さは、異なる角度付けされたダクト２０について、次の式によって決定することができ、ＬＣ＝（ＤＰ＊ＭＬ）／４５＝Ｘ／ＤＡ、ここで、「ＬＣ」はその長手方向に沿ったコアンダフェアリングの長さ（例えば、インチ）であり、「ＤＰ」はダクト出口ポートの直径（例えば、インチ）であり、「ＭＬ」は長さ乗数（例えば、１．５〜３．０）であり、「ＤＡ」はダクト角度であり、「Ｘ」は式によって解かれる長さの値である。従って、「Ｘ」の長さの値は、「Ｘ」＝ＬＣ＝（ＤＰ＊ＭＬ＊ＤＡ）／４５である。
【００４４】
例えば、直径９インチのダクトで、長さの乗数として３が選択された場合、３０度のダクト角度（ＤＡ）を有するダクト２０は、ダクト出口ポートの約２直径、すなわち１８インチのコアンダフェアリング長さを有する。同様に、６７度のより急勾配な角度を有するダクト２０に同じ基準セットを適用すると、コアンダフェアリングの長さは、ダクト出口ポートの約４．５直径の長さ、すなわち４０．５インチの長さになる。上述したように、コアンダフェアリング１３０は、好ましくは、ダクト角度４５度あたりダクト出口ポートの約３直径の長さを有するが、コアンダフェアリングは、ダクト角度４５度あたり１．５〜３．０の範囲のダクト出口ポート直径で作動可能であるので、ダクト２０の４５度の角度あたりの出口ポートの直径に基づくこのような長さは、限定的ではないと考えられる。
【００４５】
コアンダフェアリング１３０の最大高さ「ＨＣ」は、ダクト角度４５度あたりのダクト出口ポート直径の約５分の１（０．２０）未満の高さである。したがって、ダクト角度が急になるほど、コアンダフェアリングの高さは大きくなる。逆に、ダクト角度がより浅い場合は、４５度あたり、より低い高さが必要とされる。任意の角度付きダクト２０に対するコアンダフェアリングの最大高さは、式：ＨＣ＝（ＤＰ＊ＭＨ）／４５＝Ｘ／ＤＡで求めることができ、ここで、「ＨＣ」はコアンダフェアリングの高さ（例えば、インチ）であり、「ＤＰ」ダクト出口ポート直径（例えば、インチ）であり、「ＭＨ」は高さ乗数（例えば、０．１５から０．２５）であり、「ＤＡ」はダクト角度であり、「Ｘ」は式で解かれる高さ値である。従って、「Ｘ」＝ＨＣ＝（ＤＰ＊ＭＨ＊ＤＡ）／４５となる。
【００４６】
たとえば、４０度に角度が付けられ、直径９インチのダクト出口ポート２２を有するダクト２０に対して０．２の高さ乗数ＭＨを選択すると、コアンダフェアリング１３０の高さは約１．６インチの高さを有することになる。直径９インチのダクト出口ポート２２を有し６５度のダクト角度（ＤＡ）を有するダクト２０に対して同じ０．２高さ乗数を使用すると、コアンダフェアリングは、約２．６インチの高さＨＣを有する。
【００４７】
図４および図７Ａ〜図７Ｆを参照すると、コアンダフェアリング１３０のその最も広い横断面における幅（ダクト出口の長手方向軸に垂直な方向）は、約１．５から最大で約３．０ダクト直径の長さの範囲であり得る。コアンダフェアリング１３０は、ダクト出口ポート２２の後縁２６の少なくとも一部（例えば、１／２）を取り囲み、コアンダフェアリングの後縁１３４に向かう方向に幅が増加し、最大幅は、ダクト出口ポート２２の長手方向軸に関して後縁の最後部に対してほぼ垂直に位置する。幅は、三角形状のコアンダフェアリング１３０の頂点を形成するコアンダ後縁１３４の方向に徐々に減少する。コアンダフェアリング１３０の上面１３６は、好ましくは、フェアリング機尾点１３３におけるダクト角度の３３％未満で終端する。例えば、ダクト２０の角度が４５度の場合、コアンダフェアリングの後縁１３４は１５度で終端する。
【００４８】
上面１３６に沿った高さは、図７Ｅ及び図７Ｆに例示的に示されているように、コアンダフェアリングの長手方向中心線に対して横方向にほぼ一定である。コアンダフェアリングの周縁部または側縁部に近接する上面１３６は、テーパ１３７が増加して、コアンダフェアリングが取り付けられている航空機表面１２に向かって下方に延びる。上面１３６の高さは、図７Ｃに示されるように、コアンダフェアリング１３０の長手方向にほぼ一定であり、後縁機尾点１３３に向かって機尾方向に徐々に下方に湾曲し、ここでテーパは、コアンダフェアリング１３０の側方縁に沿った場合と同様に、航空機１０の表面１２に向かって増加する。
【００４９】
図４を参照すると、フェアリング組立体１００は、ダクト出口ポート２２の機尾の航空機表面１２上に配置され、コアンダのフェアリングの側面に対して平行から２０（２０）度以内に配置された一対の渦発生器１５０をさらに含み、各渦発生器１５０は、好ましくは、ダクト出口ポート２２の中心線から１ダクト直径未満であるように横方向に間隔をあけて配置されている。図８Ａ〜８Ｅを参照すると、渦発生器フェアリング１５０のうちの１つの様々な図が例示的に示されている。図８Ａは上方前方斜視図を示し、図８Ｂは側面立面図を示し、図８Ｃは上面平面図を示し、図８Ｄは背面立面図を示し、図８Ｅは渦発生器フェアリング１５０の底面図を示す。フェアリング１５０は、図８Ｄに例示的に示されるように、それが取り付けられる航空機表面１２に従う底面１５３を有する伸長する実質的に平坦な基部１５２と、伸長する直立部材または背側部材１５６がそこから垂直に上方に延びる上面１５４とを含む。しかし、当業者は、直立部材１５６が、例えば、コアンダフェアリング１３０の側方部分に向かって内向きに角度をつけることが可能であることを理解するであろう。伸長する背側部材１５６は、そのような基部の長さは限定的であるとは考えられないが、基部１５２と同じ長手方向の長さを有するように示されている。渦発生器の各背側部材１５６の長さは、高さの３倍の従来の渦発生器の最適なアスペクト比によって決定される。例えば、９インチのダクト直径は、０．９０〜２．７インチの範囲内の高さを有し、２．７〜８．１インチの範囲内のそれぞれの長さを有することになる。渦発生器１５０の背側部材１５６の高さは、ダクト直径の１０〜３０％である。さらに、好ましくは、背側部材１５６の前縁１５８は、凸状の形状を有し、背側部材１５６の上縁１５９から基部１５２の上面１５４に向かって下向きに湾曲しているが、そのような凸状の形状は限定的とは考えられない。好ましくは、渦発生器は、前縁に全高半径を備えている。
【００５０】
渦発生器１５０は、２ダクト直径内でダクトの後方に配置される。発生器はダクトの長手方向軸に対して１５（１５）度と３０（３０）度の間の角度に角度付けされ、コアンダフェアリングの背後で収束する一対の収束逆回転渦を生成する。渦発生器の目的は、自由流とダクト流の無秩序な再循環を防止するのを助けるために、ダクト出口ポート流の両側に整理された渦流を生成することである。
【００５１】
前方羽根フェアリング１１０、コアンダフェアリング１３０および渦発生器の構成は、３Ｄ  ＣＡＤソフトウェアプログラム（例：米国マサチューセッツ州ウォルサムのＤａｓｓａｕｌｔ  Ｓｙｓｔｅｍｅｓ  ＳｏｌｉｄＷｏｒｋｓ  Ｃｏｒｐ．によるＳｏｌｉｄＷｏｒｋｓプログラム）で生成できる。当業者は、任意の市販のコンピュータ支援設計ソフトウェアが、所定の寸法および定義レベルからフェアリングプロファイルを生成することができることを理解するであろう。本発明をより良く理解するために、ＢＯＥＩＮＧ７３７航空機のコンピュータモデルが例示的に使用されるが、このようなモデル航空機は限定的であるとは考えられない。
【００５２】
再び図５を参照すると、航空機１０は、ダクト出口ポート２２からダクト流が流出しつつ、空中を飛行している状態を示している。表面空気Ｂは、前方羽根フェアリング１１０の傾斜部１１２上を流れ、ダクト出口ポート２２の開口エリア上で僅かに上方に向きを変えている。同時に、ダクト２０から出るダクト流Ｃは、ダクト２０内の障害部３０を覆い、傾斜部１１２の下面１１６の輪郭に追従する舌部１２０によって偏向されている。ダクト流は、ダクト障害部３０によって引き起こされる再循環及び制限を最小限で、ダクト内で後方方向に向きを変える。出口ポート２２から出るダクト流Ｃは、最小限の再循環で傾斜部１１２を通過する表面流Ｂと混合し、混合流はコアンダフェアリング１３０上を流れ、結果として流体流は、コアンダフェアリング１３０の輪郭に追従し、航空機表面１２に向かう方向に向きを変える。コアンダフェアリング１３０に横方向の結果流れは、内向きに角度を付けられた対向する渦発生器１５０によってダクト出口ポート２２の長手方向にさらに流線化される。したがって、図９に例示的に示されるように、ダクト出口ポート２２の機尾、上方及び後方への乱流は最小化される。特に、図１および図９を参照すると、図１の破線または点線は、修正されていないダクト出口ポート２２の非常に無秩序な流れを示す横方向速度の「スライス」を表し、一方、図９は、本発明のフェアリング組立体１００がいかに修正されたダクト出口ポート２２のために高度に整理された流れを提供するかを示す。
【００５３】
図３、図１０、図１１Ａ〜図１１Ｂは、航空機に取り付けられた本発明のダクトフェアリング組立体１００がある場合とない場合の気流に対する比較効果を示すために、コンピュータでシミュレーションされた航空機のスクリーンショットの様々な図を示す。図３Ａおよび図１１Ａは、本発明のダクトフェアリング組立体１００を有しない従来技術の航空機の断面図である。図１０及び図１１Ｂは、本発明のダクトフェアリング組立体１００が胴体の一部に取り付けられた航空機の断面図である。図面は、第５回ＡＩＡＡ  Ｄｒａｇ  Ｐｒｅｄｉｃｔｉｏｎ  Ｗｏｒｋｓｈｏｐからの周知のＮＡＳＡの「共通リソース・モデル」（ＣＲＭ）を使用して発明者らによって構成され、実施された、カラーコード付けされたコンピュータシミュレーションから取得されたが、このようなシミュレーションプログラムは、限定的であるとは考えられない。実施したシミュレーションは、７６７／７７７／Ａ３３０／Ａ３５０クラスの航空機の業界標準モデルからのものだった。ＣＲＭは、風洞や計算流体力学（ＣＦＤ）作業で、抵抗とその予測方法の開発と理解のために業界全体で使用されている。図は、ダクト出口フェアリング組立体を備えていない未修正モデル航空機及び、航空機の胴体に配置された角度付きダクト出口の周りに取り付けられた角度付きダクト出口フェアリング組立体を備えた修正モデルの空気流を示している。これらの画像を解釈すると、抵抗を生じる角度付きダクト２０からの望ましくない流れは、曲げられるか、または再循環され（例えば、逆流され）、一方、より低い抵抗の流れは、より少なく曲げられ、再循環される。航空機の特定の領域でより明るい陰影で図示されている低表面圧力領域（ＬＰ）と比較して、高い表面圧力領域（ＨＰ）はより暗い陰影で示される。
【００５４】
図３を参照すると、かなりの量の乱流が、ダクト出口ポート２２を出て表面流と衝突するダクト流と同様に、角度付きダクト２０内の障害部３０によって引き起こされる。比較すると、図１０は、ダクト内の再循環及び制限が主に前方羽根１１０によって打ち消され、コアンダフェアリング１３０上のダクト流と表面流の混合は、それは一対の渦発生器１５０の間でさらに案内されて流線化されるが、結果として、コアンダフェアリング１３０の後方で平滑化され乱流の少ない表面流を生じることを示している。
【００５５】
図１１Ａを参照すると、温度プロットが、変更されていないダクト出口ポート２２の高温低速ダクト流と低温高速表面流の無秩序な混合を示している。対照的に、図１１Ｂは、本発明のフェアリング組立体１００を備えた修正されたダクト出口ポート２２の整理された温度流混合を示している。従って、図３及び図１１Ａは、角度付きダクト出口ポート２２を出る再循環空気流の望ましくない大きな角度を示している。これとは対照的に、本発明のダクトフェアリング組立体１００は、結合又は結果生成された表面流及びダクト流が航空機１０の表面１２により近いところで乱流を最小にして流れるように、空気流をコアンダフェアリング１３０の周囲で減衰又は平坦化し、一対の渦発生器１５０間で流線化する。
【００５６】
フェアリング組立体１００は、電磁透過性のための成型されたガラス繊維とエポキシから複数の工程で構成され得る。あるいは、フェアリングは、石英、ガラス繊維、炭素繊維、ケブラー、ベクトラン、または他の航空宇宙グレードの強化繊維およびプラスチックなどの複合材料から製造することができる。フェアリング組立体１００はまた、アルミニウム、鋼、ステンレス鋼、チタン、又は他の航空宇宙グレードの金属などの金属、又は複合材料と金属材料の組み合わせから製造することができる。フェアリング組立体１００を製造する工程は、成型、機械加工、積層造形、又はこれらの実施の組み合わせを含むことができる。フェアリング組立体１００の製造工程が完了すると、フェアリング組立体は、キットとしてより古い航空機に取り付けられるか、又は新しい航空機設計の一部として機体に組み込まれ得る。
【００５７】
有利には、本発明のダクト出口フェアリング組立体１００は、機体設計が決定された後、又は既に製造中に実施することができる。新たに設計された航空機の場合、フェアリング組立体は、他の部品に関して相互作用でき、最適化され得る。当業者であれば、ダクトフェアリング組立体１００の他の実施形態が、種々の航空機モデルおよび機体の異なる部位に、上述したのと同様のやり方で形成され、配置され得ることを理解するであろう。
【００５８】
前述は本発明の実施形態に向けられているが、本発明の他及びさらなる実施形態及び利点は、以下の特許請求の範囲によって決定される本発明の基本的な範囲から逸脱することなく、この説明に基づいて当業者によって構想され得る。
【図１】
2021509377.tif 000003
【図２】
2021509377.tif 000004
【図３】
2021509377.tif 000005
【図４】
2021509377.tif 000006
【図５】
2021509377.tif 000007
【図６】
2021509377.tif 000008
【図７】
2021509377.tif 000009
【図８】
2021509377.tif 000010
【図９】
2021509377.tif 000011
【図１０】
2021509377.tif 000012
【図１１Ａ】
2021509377.tif 000013
【図１１Ｂ】
2021509377.tif 000014
【国際調査報告】
2021509377.tif 000015
2021509377.tif 000016
2021509377.tif 000017